(57)【要約】【課題】  簡単な操作で確実に釣り用錘を錘ケースから取り出すことができ、また、釣り糸に圧着取り付けできる上に、簡単な操作で確実に釣り糸の先端部分等を仮係止して釣り人の拘束下に置くことができる。【解決手段】    釣り用の道具であり、少なくとも掌中に収容し得る程度の大きさであって、基体構造により常時、挟持片どうしを当接させつつ押圧作用により挟持片を離開させる逆作用挟持部を備える。押圧作用を加える部位は挟持片と近接位置に設けられ、押圧作用は、挟持片の基端部近傍に加える指先での挟み動作により行われる。簡単な操作で、確実に錘の取り出し、ラインへの挟みつけ固定並びにラインの仮係止という従来にない効果を売ることができる。【選択図】図４
2006180727.tif 000002
【特許請求の範囲】
【請求項１】
釣り用の道具であり、
少なくとも掌中に収容し得る程度の大きさであって、基体構造により常時、挟持片どうしを当接させつつ押圧作用により挟持片を離開させる逆作用挟持部を備えたことを特徴とする釣り用道具。
【請求項２】
押圧作用を加える部位が挟持片と近接位置に設けられていることを特徴とする請求項１記載の釣り用道具。
【請求項３】
押圧作用は、挟持片の基端部近傍に加える指先での挟み動作により行われることを特徴とする請求項１または２記載の釣り用道具。
【請求項４】
挟持片に、釣り用ラインを挟み保持、解除自在に保持するライン保持部が形成されていることを特徴とする請求項１ないし３のいずれかに記載の釣り用道具。
【請求項５】
挟持片は挟持状態で略密着平面合わせとなるライン保持用合わせ面部と、鉛仮保持用凹部と、を有することを特徴とする請求項１ないし４のいずれかに記載の釣り用道具。
【請求項６】
基体に装着状態の鉛玉の割りこみ外し片が形成されていることを特徴とする請求項１ないし５のいずれかに記載の釣り用道具。
【発明の詳細な説明】
【技術分野】
【０００１】
本発明は、釣り場などに携行して具体的な釣りの行為時等に用いられる釣り用道具に関する。
【背景技術】
【０００２】
釣り場において釣りをするに際し、特に浮き仕掛けでメジナ、チヌ、鯛、イサキ、等を狙う場合には多くの釣り用道具を携行持参するのが通常である。例えば、浮き、浮きの浮力調整用錘、釣り針、交換用ハリス、挟み、ナイフ、ゴム輪、浮きと道糸との遊動具、よりもどし、シモリ玉等々があり、これらをそれぞれ小型のケースなどに収納した状態で、釣りジャケットに設けられた複数のポケットに収納しておいて、必要に応じて取り出し使用する。釣り場では、餌を釣り針に付けて水中に投入後、対象魚の活性、潮流、風、水位、水のにごりなどを考慮して行われる仕掛けの打ち返しタイミングが重要であり、また、釣れた場合の魚の取り込み時等も含めた、一つ一つの動作に時間をかけない手際の良い作業が釣果を大きく左右する。釣り場において、頻繁に行われるのは魚に直接食い込ませる釣り針の交換と、ガン玉と呼ばれる錘の交換あるいは除去である。釣り針の交換に際しては、戻し鉤を形成したフック部とこれに連接されるチモトと呼ばれる直状部とから一般に釣り針が構成されており、このうちの直状部軸に直径１ｍｍ前後のハリス糸を６〜８回程度巻きつけて最終的に結束し、固定させる。また、錘にも種々のサイズがあるが、上物釣りなどでは撒き餌と流れの中で自然に同調させる必要があるから例えば直径１〜３ｍｍ程度のものが多用される。これらのハリス糸への釣り針の取り付けや錘の選択、糸への取り付け等はほとんど指先のみの作業で行われ、立ったままの姿勢や竿を片手に持ったままの不安定な姿勢で行われる場合が多い。このような、作業を円滑に行わせるための釣り用道具があれば至極便利である。従来、釣り場での小物道具として、例えば特許文献１に示すようなラインカッターが提案されている。
【特許文献１】実用新案登録第３０９１１３２号公報
【発明の開示】
【発明が解決しようとする課題】
【０００３】
上記の従来の特許文献１のラインカッターでは、釣り糸を釣り針にきつく締め付けるための補助具、ガン玉を割るための補助具、釣り糸を解すための針及びフックシャープナーを一体とした釣り糸切断用ラインカッターが示されている。しかしながら、これらの機能はすべて従来からナイフ、歯間咬合、ヤスリ等の個別の道具で実現していたものを一体に構成したものであり、それらと代替可能である。一方、釣り場での不安定な姿勢のままで、さらに常時のある程度の風速下で、例えば図６に示すような錘ケースから所望の錘を取り出すときには、取り出し開口７２を取り出したい錘の区画に回転して合わせ、その状態で反転させて数個の鉛を掌等に載せ、所要の１個または複数個を手で摘まみ取り、残の錘を取り出し開口から再びケース内に戻す等の煩雑な作業を強いられる。また、摘み取った直径１〜３ｍｍ程度の錘を釣り糸に固定する際には半割溝に糸を通した状態で噛み潰し状に錘を圧着させるが、この際に指先から取り落としやすく、この場合には、上記の作業を再度行なうこととなる。さらに、釣り針を釣り糸に連結する作業や、竿ガイドに通す場合等に竿先ガイドから出た釣り糸の先端部分を釣り人のコントロール下に置いて別の作業や用事をしたい場合がある。つまり、釣り糸の先端部はちょっとした竿先の動きや風によって大きく揺れ動き、釣り針、錘、より戻し等を連結したい場合には釣り人は、いったん釣り糸の先端を捕捉した後で、行なう必要があり、この捕捉作業が容易ではなく、ひとたび釣り人の拘束から釣り糸先端が離れると、四苦八苦の状態で捕捉が行なわれるのが通常であり、このような場合に仮に釣り人の拘束下に置いた状態で他の用事をやってすぐにそれまでの作業を復帰できるような道具があれば、便利であり、釣り人にとってこのような道具の出現が待望されていた。
【０００４】
本発明は、上記従来の課題に鑑みてなされたものであり、その目的は、簡単な操作で確実に釣り用錘を錘ケースから取り出すことができ、また、連続作業でそのまま釣り糸に圧着取り付けできる釣り用道具を提供することにある。また、本発明の他の目的は、簡単な操作で確実に釣り糸の先端部分等を釣り人の拘束下に置くことができ、釣り糸への小物類の取り付け等を迅速、確実に行なえる釣り用道具を提供することにある。さらに、本発明の他の目的は、簡単な構造で釣り用錘の確実な扱いと、釣り糸先端部等の拘束を１つの部材で実現し得る釣り用道具を提供することにある。
【課題を解決するための手段】
【０００５】
上記の目的を達成するために、本発明は、釣り用の道具であり、少なくとも掌中に収容し得る程度の大きさであって、基体構造により常時、挟持片５０どうしを当接させつつ押圧作用により挟持片を離開させる逆作用挟持部１０を備えた釣り用道具から構成される。これによって、錘挟み取り出し、ラインへの圧着固定、ラインの仮保持等を同時に行なえ、小形、軽量、低コストの割に高機能な釣り用道具を実現させる。
【０００６】
また、押圧作用を加える部位（１８）が挟持片５０と近接位置に設けられた構成とするとよい。
【０００７】
また、押圧作用は、挟持片５０の基端部近傍に加える指先での挟み動作により行われる構成とすると良い。。
【０００８】
また、挟持片５０に、釣り用ラインＬを挟み保持、解除自在に保持するライン保持部５８が形成された構成とすると良い。
【０００９】
さらに、挟持片５０は挟持状態で略密着平面合わせとなるライン保持用合わせ面部５６と、鉛仮保持用凹部（６０）と、を有するとよい。
【００１０】
また、基体１２に装着状態の鉛玉の割りこみ外し片２０を形成するとよい。
【発明の効果】
【００１１】
本発明の釣り用道具によれば、釣り用の道具であり、少なくとも掌中に収容し得る程度の大きさであって、基体構造により常時、挟持片どうしを当接させつつ押圧作用により挟持片を離開させる逆作用挟持部を備えた構成であるから、加圧したときだけ挟持力を解除し、加圧を解除したときには所要の挟持力により錘その他の物品を挟み保持することができる結果、指先を使って小径の錘等の挟持状態等を確認しながら、確実にケース等からの錘の取り出しを行なえる。同時に、挟持状態のままで半割れ溝を合わせるだけで釣り用ラインへの圧着固定ができ、連続作業で短時間に手早く一連の作業を完了し、好釣果へつなげることができる。さらに、挟持片を平面あるいは細径のものを把持し得る構成とすることにより、釣り用ラインの仮係止も同時に行なえ、従来では困難な諸作業を実現し得る。
【００１２】
また、押圧作用を加える部位が挟持片と近接位置に設けられていることにより、例えば指先の押圧作用が至近位置で直接に挟持片に加わる結果、錘やライン等の挟持物の挟持位置合わせや挟持状態の確認を行ないながら、確実に本発明の釣り用道具に係止させることができる。
【００１３】
また、押圧作用は、挟持片の基端部近傍に加える指先での挟み動作により行われるようにすることにより、押圧による挟み動作をそのまま挟持片による挟み動作として釣り用錘等を挟むから、小径の錘等の挟み動作時の微妙な指先の調整等を簡易に行なうことができる。
【００１４】
さらに、挟持片に、釣り用ラインを挟み保持、解除自在に保持するライン保持部が形成された構成とすることにより、同じ挟持片で錘の挟み，ケースからの取り出し、さらにはラインへの圧着固定ができる上に、ラインの仮保持ができ、機能性を向上させることができるばかりでなく、部品点数の減少、道具の小型化、軽量化に資することが可能である。
【００１５】
また、挟持片は挟持状態で略密着平面合わせとなるライン保持用合わせ面部と、鉛仮保持用凹部と、を有する構成とすることにより、例えば２個の構成部材のみで、釣り用ラインの挟み保持、解除と、錘のケースからの取り出し、ラインへの圧着固定を実効化あらしめる。
【００１６】
また、基体に装着状態の鉛玉の割りこみ外し片が形成された構成とすることにより、簡単な構成と、軽量、低コストでありながら多機能の釣り用道具を実現し得る。
【発明を実施するための最良の形態】
【００１７】
以下、添付図面を参照しつつ本発明を実施するための最良の形態について説明する。本発明の釣り用道具は、少なくとも手のひらに収容し得る程度の小形の小物道具であり、該小物道具は、逆作用挟持部１０を有している。逆作用挟持部１０は、例えば１〜３ｍｍ直径程度の大きさの釣り用錘（ガン玉）を挟める一対の挟持片５０ａ、５０ｂを有しこれを常時互いに当接して中間に配置した物体を挟めるようにするとともに、指先等で押圧させることにより挟持片５０の当接を解除して離し、挟んでいた物品を解放させるようにした逆作用挟持手段である。本実施形態においては基本的には、２本の短い長四角形の短冊片状の挟持部材を重ね合わせ状に配置し、その一端側を固定して連結させただけの極めて簡単な構造であり、しかも短冊片自体をばね性の鋼板から構成することにより、基体構造により常時挟持片５０を互いに当接密着付勢する構造となっている。
【００１８】
すなわち、本実施形態において、各短冊片は基体１２と、逆作用挟持部１０と、から構成されている。基体１２の一端側には同じ位置に孔が穿孔されこの孔に軸ピン１４が嵌挿されて、該軸ピン１４回りに両短冊片の他端側は回動可能に取り付けられている。それぞれの基体１２は、図２，４にも示すように軸ピン位置から他端側にいくにつれて湾曲した湾曲部１６を形成してあり、湾曲部においてしだいに相互に離反するように両短冊片を背面合わせにして軸ピン１４部分で連結させている。それぞれの短冊片は、例えば同一サイズの鋼製の素材自体が同じ湾曲形状となるように製作してあって、本実施形態では、図３のように湾曲端１７側を矢視方向に押圧してもすぐに図２に示す位置に復帰するようにばね力が加わるように形成されている。この湾曲端近傍が本実施形態における押圧部１８とされる。押圧部１８での押圧時に挟持片５０を離開させるものであるから、ばね力の設定はある程度強いばね力で挟持片どうしの閉着状態を保持させ得る程度とするのがよい。この基体１２側の湾曲端部分のばね性は、後述する挟持片５０を常時当接させるように弾性的に付勢する付勢機構を構成するものであり、付勢手段としては、このように基体自体のばね性素材のみで実現させるものに限らない。例えば、スプリングやゴム部材などを用いた付勢方法をとるようにしてもよい。
【００１９】
逆作用挟持部１０は、挟持片５０どうしを常時当接させつつ押圧作用により該挟持片５０を離開させる逆作用挟持手段であり、実施形態においてはばね性素材により常時挟持片同士を当接する方向に弾性的に付勢力を加えた状態としてそれらの当接状態を保持し、釣り人が外力を加えたときに挟持片を離開させるという（フリーのときに把持し、加圧のときに離開させる）逆作用による挟持構成となっている。図２ないし図５において、逆作用挟持部１０は、短冊片の湾曲端側から接続された交差片部５１とそれぞれの先端側に固定された挟持片５０ａ、５０ｂと、を含む。交差片部５１は、各短冊片の湾曲端１７部分の上半部と下半部とから突出された細幅の交差片５２ａ、５２ｂをＸ字状に交差させて突設させ、それぞれの先端側に各挟持片を拡大させて固定させている。図２，３に示すように、交差片部５１の湾曲端１７からの突設しろは短く設定されており、押圧作用を加える部位が挟持片５０と近接する位置に設けられている。したがって、例えば指先で両側から押圧部１８を加圧して釣り用錘等を挟み込む場合に挟む間隔や感覚、状態の確認を確実に区別あるいは識別でき、不安定な姿勢等でも小形のケース内の極小の錘玉を確実に摘んで取り出し使用することができる。このように、本実施形態では、押圧作用は、挟持片５０の基端側に加える指先での挟み動作により行われ、錘その他の小物類の挟み動作を簡単かつ確実に行なうことができる。
【００２０】
一方、各挟持片５０は、挟持状態で密着当接する平坦部５４を有しており、この平坦部５４がライン保持用合わせ面部５６とされる。ライン保持用合わせ面部５６は、挟持片に、釣り用ラインＬを挟み保持、解除自在に保持させるライン保持手段であり、実施例において、ライン保持用合わせ面部５６がライン保持部５８を構成している。この実施形態では、平面の面密着力で細径の釣り糸（ライン）を挟み込んで仮保持しているが、細径のラインを挟持して保持し得る機能が保持できる限りは、面自体は平滑面、非平滑面であってもよいし、また、凹凸が設けられていたり、あるいは孔が開けられたものでもよい。
【００２１】
すなわち、この平坦部５４間に釣り糸を挟んだ状態で釣り人が手から離しても、付勢力により常に該釣り糸を挟み込んでいるから仮係止状態を保持でき、よって、釣り人が釣り糸への釣り針の取り付けや、錘付け、撚り戻しつけ、ハリス糸交換作業時等に釣り糸の先端部分等を拘束下に置いて作業を行ないたいような場合に極めて利便性を有する。実施形態において、各挟持片５０は、略四角形状の板体から構成されて同じ形状で形成され、同一の四角形形状で密着当接時に重なりあうようになっている。
【００２２】
また、図４，５において、挟持片５０の略中央部には釣り用錘の挟み位置を決める挟み位置決め凹部６０が形成されている。挟み位置決め凹部６０は、錘を挟持片に挟み込む場合の挟み位置を決める位置決め手段であり、挟み位置決め凹部６０が本実施形態体では、鉛仮保持用凹部とされる。本実施形態では凹部６０は、合わせ面５６Ａからテーパ状に凹陥したテーパ凹部６２と、そのテーパ中心軸部に穿孔された孔６４と、を含む。これによって、ある程度のサイズの大小を問わずテーパ凹部６２と、そのテーパ中心軸部の孔とを介して釣り用錘の大小を問わず、位置決めして確実に挟みとることができる。さらに、本実施形態では押圧作用を加える押圧部１８と逆作用挟持部１０との間隔が小さく近接位置に設定されているから、１００錘を挟んだ状態のまま、その半割れ溝１００ＡをラインＬにあてがって押し潰すことにより錘のケースからの取り出しに続けて、ラインへの取付までを連続的にかつ確実に短時間で行なえる。
【００２３】
さらに、本実施形態において、基体１２には、装着状態の鉛玉の割りこみ外し片２０が設けられている。割りこみ外し片２０は、薄板状の突片からなり、短冊片の湾曲側と反対側の端部において該短冊片に一体成形されて設けられている。先端がエッジ状に先鋭化して形成されており、このエッジ端を噛み潰された錘の割目に突きこんで外す作業を円滑に実現し得る。なお、図中６８は錘収納ケースであり、回転蓋７０に開けられた開口７２の位置を回転により移動させて取り出したい錘の仕切り内に位置合わせして錘を取り出せるようになっている。
【００２４】
上記の実施形態に係る釣り用道具を使用するに際しては、ラインＬを仮係止させる場合には、押圧部１８を指先で挟みつけて挟持片５０を離開させ、その間隙にラインを配置させた状態で指の加圧を離すだけで仮係止でき、身の回りにラインの先端部分等を拘束させる。ラインは先端部分のみに限らず、中間部であってもその他任意の部位でも良い。操作は極めて簡単でしかもラインの把持を確実に行なえる。ラインを外すときには再度押圧部１８を加圧して外しても良いし、すこし強くラインを引いても外すことができる。
【００２５】
釣り用錘をケースを取り出す場合には、該道具１０の押圧部１８部分を指で把持して回転蓋の開口７２を取り出したい錘の仕切り内に位置あわせし、この状態で閉着状態の挟持片５０を仕切り内に挿入させ、押圧部１８を押圧操作することにより挟持片を開いて所望の錘の挟み位置で指の加圧を解除すると付勢力により挟持片５０は弾性的に錘を挟み込み保持する。この状態で基体１２を軽く握った状態でケースから所望の錘を確実に取り出せる。続けて、ラインにこの錘を装着固定するに際しては、錘の半割れ溝１００Ａを逆作用挟持部の外部側に向けてセットし、この状態で図７に示すようにラインの固定位置を決めてラインを該半割れ溝１００Ａ内に配置させ、この状態で、押圧部１８を指先等で釣り人が加圧させる。これによって、錘のケー図からの取り出しに連続して確実な手順操作で釣り糸固定までの一連の作業を短時間で完了させることができ、撒き餌効果や潮流，潮位の変動に大きく左右されることなく、確実な釣果につなげることが可能である。
【００２６】
さらに、必要に応じて、装着状態の鉛玉の交換、取り外し作業を、割りこみ外し片２０を介して同じ道具で行なえる。
【００２７】
なお、軸ピン１４に枢支されて短冊片どうしは相互に回転可能に接続されているから、たとえば、基体１２部分のばね力が弱くなってきた場合には、回動させて短冊片どうしを回転方向にずらして配置し、この状態で強制的に軸ピン部分を引き開くように力を加えてやることにより、ばね力を復元させることができる。
【００２８】
以上説明した本発明の釣り用道具は、上記した実施形態のみに限定されるものではなく、特許請求の範囲に記載した本発明の本質を逸脱しない範囲において、任意の改変を行ってもよい。
【産業上の利用可能性】
【００２９】
本発明の釣り用道具は、磯釣り、堤防釣り、船釣り、上物、根物等、釣り場、対象魚の如何にかかわらず、釣り場に携行して簡易に使用することができる。
【図面の簡単な説明】
【００３０】
【図１】本発明の実施形態に係る釣り用道具の平面図である。
【図２】図１の道具の正面図である。
【図３】図２の状態から挟持片を半開き状態とした作用説明図である。
【図４】図１の道具のライン把持状態の作用説明図である。
【図５】図１の道具の錘取り出し状態の作用説明図である。
【図６】錘ケースと収容された錘を示す説明図である。
【図７】図１の道具で錘を掴んだままで加圧して挟着固定させる際の作用説明図である。
【符号の説明】
【００３１】
１０  逆作用挟持部
１６  湾曲部
１８  押圧部
５０  挟持片
５２  交差片
５４  平坦部
５６  ライン保持用合わせ面部
５８  ライン保持部
６０  位置決め凹部
１００  釣り用錘
Ｌ  釣り用ライン
【図１】
2006180727.tif 000003
【図２】
2006180727.tif 000004
【図３】
2006180727.tif 000005
【図４】
2006180727.tif 000006
【図５】
2006180727.tif 000007
【図６】
2006180727.tif 000008
【図７】
2006180727.tif 000009